(57)【要約】【課題】ワーム側に水受け構造を出現させることにより擬餌針に動きを出すと共に、動きを求めない場合には、ワームの取り付け態様を変更することにより、ワーム側に水受け構造が出現しないようにすることのできる、ワーム並びにこのワームを組み合わせた擬餌針を提案することを技術課題とした。【解決手段】柔軟な弾性部材で短寸細径状のワーム１本体に対し、その外面部に屈曲誘導部５を形成したことを特徴とする。  また前記屈曲誘導部５は、ワーム１の頭部２寄りの部位が、凹陥形成されて成ることを特徴とする。  また前記屈曲誘導部５にヘッド１０Ｈが位置するようにジグヘッド１０の針先１２を屈曲誘導部５に刺し込み、ワーム１の胴部３から針先１２が突き出るように組み合わされていることを特徴とする。【選択図】図１
2020078280.tif 000002
【特許請求の範囲】
【請求項１】
柔軟な弾性部材で短寸細径状のワーム本体に対し、その外面部に屈曲誘導部を形成したことを特徴とするワーム。
【請求項２】
前記屈曲誘導部は、ワームの頭部寄りの部位が凹陥形成されて成ることを特徴とする請求項１記載のワーム。
【請求項３】
前記屈曲誘導部にヘッドが位置するようにジグヘッドの針先を屈曲誘導部に刺し込み、ワームの胴部から針先が突き出るように組み合わされていることを特徴とする請求項１または２記載のワームを組み合わせた擬餌針。
【請求項４】
前記ワーム先端にヘッドが位置するようにジグヘッドの針先を頭部に刺し込み、ワームの胴部から針先が突き出るように組み合わされていることを特徴とする請求項１または２記載のワームを組み合わせた擬餌針。
【請求項５】
前記ジグヘッドは、フックに対して錘としてのヘッドを組み付けて構成されるものであり、
前記フックにおけるラインアイと胴曲げとの間に形成されたオフセットクランクの部分がヘッドに埋没するように形成され、
前記オフセットクランクによりラインアイが針先側に接近し、前記フックにおけるシャンクを水平にした状態で、前記ラインアイが重心の上方に位置していることを特徴とする請求項３または４記載の擬餌針。
【発明の詳細な説明】
【技術分野】
【０００１】
本発明は釣り用擬餌餌の一種であるワーム並びにこのワームを組み合わせた擬餌針に関するものである。
【背景技術】
【０００２】
比較的小型のアジ等の魚を対象とした擬餌餌としてワームがある。このものは柔らかい本体をＰＶＣ等で昆虫、小魚等の形状に成型したものであり、これにジグヘッドを差し込んで擬餌針が構成される（例えば特許文献１参照）。
そしてこのような擬餌針を用いて釣果を上げるには、ワームを水中で小刻みに動かすことが良い場合がある。
そのための手法の一例として、図７に示すように、ワーム１′に組み合わされるジグヘッド１０′のヘッド１０Ｈ′の一部を切除する等して傾斜面を形成して水受構造２０′とし、水流を受け流すことにより動きを出している。
しかしながら一方で、ワームの動きが求められない状況や対象魚もあるため、この場合には、前記水受け構造を有するジグヘッドでは対応できないため、水受け構造を有しないジグヘッドへの交換が必要となっていた。
【先行技術文献】
【特許文献】
【０００３】
【特許文献１】特開２０１６−２８５６１公報
【発明の概要】
【発明が解決しようとする課題】
【０００４】
本発明はこのような背景に基づいてなされたものであって、ワーム側に水受け構造を出現させることにより擬餌針に動きを出すと共に、動きを求めない場合には、ワームの取り付け態様を変更することにより、ワーム側に水受け構造が出現しないようにすることのできる、ワーム並びにこのワームを組み合わせた擬餌針を提案することを技術課題としたものである。
【課題を解決するための手段】
【０００５】
すなわち請求項１記載のワームは、柔軟な弾性部材で短寸細径状のワーム本体に対し、その外面部に屈曲誘導部を形成したことを特徴として成るものである。
【０００６】
また請求項２記載のワームは、前記要件に加え、前記屈曲誘導部は、ワームの頭部寄りの部位が凹陥形成されて成ることを特徴として成るものである。
【０００７】
また請求項３記載の擬餌針は、前記屈曲誘導部にヘッドが位置するようにジグヘッドの針先を屈曲誘導部に刺し込み、ワームの胴部から針先が突き出るように、請求項１または２記載のワームが組み合わされていることを特徴として成るものである。
【０００８】
更にまた請求項４記載の擬餌針は、前記ワーム先端にヘッドが位置するようにジグヘッドの針先を頭部に刺し込み、ワームの胴部から針先が突き出るように、請求項１または２記載のワームが組み合わされていることを特徴として成るものである。
【０００９】
更にまた請求項５記載の擬餌針は、前記請求項３または４記載の要件に加え、前記ジグヘッドは、フックに対して錘としてのヘッドを組み付けて構成されるものであり、前記フックにおけるラインアイと胴曲げとの間に形成されたオフセットクランクの部分がヘッドに埋没するように形成され、前記オフセットクランクが鋭角に設定されることにより、ラインアイが針先側に接近した個所に位置し、且つ前記フックの一部は、胴打ち加工が施されて平坦面が形成されていることを特徴として成るものである。
そしてこれら各請求項記載の発明の構成を手段として前記課題の解決が図られる。
【発明の効果】
【００１０】
まず請求項１記載の発明によれば、屈曲誘導部を機能させることにより、ワームが屈曲した状態を維持して水受け構造を出現させることができる。
【００１１】
また請求項２記載の発明によれば、前屈曲誘導部に対し、ジグヘッドにおけるヘッドを位置させることにより、ワームが屈曲した状態を維持して水受け構造を出現させることができる。
【００１２】
また請求項３記載の発明によれば、ワームに対して水受け構造を出現させた擬餌針が構成され、ワームを水中で小刻みに動かすアクションを実現することができる。
【００１３】
また請求項４記載の発明によれば、ワームに対して水受け構造が出現していない擬餌針が構成され、水中でのワームの動きの少ないアクションを実現することができる。
【００１４】
また請求項５記載の発明によれば、ラインアイが針先側に接近した個所に位置しているためワームの水中姿勢を、重心の上方にラインアイが位置した状態とし、実際の小魚等と同様、頭部から尾びれ部にかけて水平状態に近いものとすることができ、釣果の向上を期待することができる。
また胴打ち加工された部位が煌くため、集魚効果を高めることができる。また胴打ち加工された部位が、抜け止め効果を奏するため、ワームの脱落を防止することができるとともに、姿勢の安定化が図られる。
【図面の簡単な説明】
【００１５】
【図１】本発明のワームとジグヘッドとを組み合わせた擬餌針を示す斜視図である。
【図２】ワームを示す平面図（ａ）、側面図（ｂ）及び底面図（ｃ）である。
【図３】ワームに対してジグヘッドを組み合わせる様子を段階的に示す側面図である。
【図４】ワームを組み合わせた擬餌針の水受構造を出現させた形態と動きを示す側面図（ａ）及び平面図（ｂ）並びに水受構造を出現させない形態と動きを示す側面図（ｃ）である。
【図５】ワームとジグヘッドとの組み付け態様を異ならせた実施例を示す側面図である。
【図６】ジグヘッドを示す側面図及び断面図である。
【図７】従来の擬餌針を示す側面図である。
【発明を実施するための形態】
【００１６】
以下本発明のワーム並びにこのワームを組み合わせた擬餌針の最良の形態について、図示の実施例に基づいて説明するが、この実施例に対して、本発明の技術的思想の範囲内において適宜変更を加えることも可能である。
【実施例】
【００１７】
図中符号Ｌで示すものが本発明の擬餌針であって、このものは本発明のワーム１に対して、ジグヘッド１０を組み付けて構成される。
前記ワーム１は、可塑剤が添加されたポリ塩化ビニル（ＰＶＣ）等の柔軟な弾性部材を素材とし、小魚、甲殻類、昆虫等を模した短寸細径状を成すものである。
図２に示すワーム１は、一例として小魚を模したものであり、頭部２、胴部３及び尾びれ部４が連設され、前記胴部３の尾びれ部４寄りの部位には、胴部３の一部を切除したスリット６が形成される。なお本明細書においては、頭部２側を前方、尾びれ部４側を後方とする。
そしてワーム１外面部に屈曲誘導部５が形成されるものであり、この実施例では頭部２寄りの部位に屈曲誘導部５を側面視で凹陥状になるように形成した。
【００１８】
また前記ジグヘッド１０は図６に示すように、フック１０Ｋに対して錘としてのヘッド１０Ｈを組み付けて構成されるものである。
前記フック１０Ｋは、ラインアイ１１と針先１２との間に、オフセットクランク１３、胴曲げ１４及び先曲げ１５の三個所に曲げ加工が施された釣針であり、オフセットクランク１３から胴曲げ１４までの部位をシャンク（胴、軸）１６と称し、シャンク１６と針先１２との間隔をゲイブ（フトコロ）１７と称するものである。
また前記針先１２と先曲げ１５との間の針先１２寄りの個所には、バーブ（カエシ）１８が設けられる。
そして前記ヘッド１０Ｈを一例として鉛の鋳造により成型する際に、オフセットクランク１３の部分がヘッド１０Ｈに埋没するように形成される。
【００１９】
そしてこの実施例では、前記オフセットクランク１３により、ラインアイ１１が、オフセットクランク１３の屈曲部よりも針先１２側に接近した個所に位置するようになっている。更にシャンク１６が水平になった状態で、ラインアイ１１が重心Ｇの上方に位置するとともに、針先１２からバーブ１８にかけての部位が、ラインアイ１１よりも上方に位置している。
【００２０】
また前記フック１０Ｋの一部には、胴打ち（平打ち）加工が施されて平坦面１９が形成されるものであり、この実施例では、胴曲げ１４周辺に平坦面１９が形成されるようにした。この様な平坦面１９が形成されることにより、針先１２側を広げようとする力に対する強度が増すこととなる。
【００２１】
ここで前記ワーム１に対するジグヘッド１０の組付態様について説明するものであり、図３( ａ）、（ｂ）に示すように、シャンク１６とワーム１とが略平行となった状態で、針先１２を屈曲誘導部５の後側壁面に突き刺す。
次いでここからシャンク１６を前方に押し倒すようにして針先１２を押し進め、やがて図３（ｃ）に示すように針先１２が胴部３から突き出るようにする。
更にシャンク１６が胴部３に埋もれるように押し進め、やがて図３（ｄ）に示すようにヘッド１０Ｈが屈曲誘導部５に嵌り込むとともに、胴曲げ１４付近が胴部３から外部に突き出た状態とする。この状態でワーム１の頭部２は屈曲して下垂した状態となるものであり、この部分が水受構造２０となるものである。
【００２２】
そして上述のように構成される本発明の擬餌針Ｌは、図１、図４（ａ）、（ｂ）に示すように、リトリーブやロッドアクションによりラインＴを通じて引かれる際に、水受構造２０が水流を受けた際に頭部２が振られ、胴部３から尾びれ部４にかけてを主に図４（ｂ）に示すように激しく振動させることができ、ワーム１を水中で小刻みに動かすアクションを実現することができる。具体的にはアングラーは、リールを巻くだけで、ウォブリング（揺動）等のルアーアクションを実施することができるものである。
なお図４では、ラインＴが引かれる方向がアングラーが操作するリール（図示省略）と擬餌針Ｌとを結ぶ直線よりも上方向となっている様子を描写しているが、これはリールから水面まで伸びたラインＴは、水中をそのまま直線状に擬餌針Ｌまで伸びるのではなく、屈折するように伸びるといった実際の様子を表したものである。
【００２３】
またラインアイ１１が針先１２側に接近した個所に位置しているためワーム１の水中姿勢を、重心Ｇの上方にラインアイ１１が位置した状態とし、実際の小魚等と同様、頭部２から尾びれ部４にかけて水平状態に近いものとすることができ、釣果の向上を期待することができる。
また胴打ち加工された平坦面１９が煌くため、集魚効果を高めることができる。また平坦面１９が抜け止め効果を奏するため、ワーム１の脱落を防止することができるとともに、姿勢の安定化が図られる。
また特にワーム１を透明素材や半透明素材で形成した場合、ワーム１に埋没状態となった平坦面１９が煌くため、対象魚Ｆに対して今までになかった視覚的アピールをすることができる。
【００２４】
また請求項４で定義し図４（ｃ）に示すように、ワーム１の先端にヘッド１０Ｈが位置するようにジグヘッド１０の針先１２を頭部２に刺し込み、ワーム１の胴部３から針先１２が突き出るように組み合わされた場合には、屈曲誘導部５が機能しないため擬餌針Ｌに水受構造２０は出現しない。このためリトリーブやロッドアクションにより、胴部３から尾びれ部４にかけて振動させることができるもののその度合いは小さなものとなる。
【００２５】
〔他の実施例〕
本発明は上述した実施例を基本となる実施例とするものであるが、本発明の技術的思想の範囲で以下に示すような改変形態を採ることもできる。
まず、上述した図４（ｃ）で示した実施例では、ワーム１の先端にヘッド１０Ｈが位置するようにジグヘッド１０の針先１２を刺し込み、針先１２が胴部３の側周部から突き出るようにしたが、図５（ａ）に示すように、ワーム１の先端にヘッド１０Ｈが位置するようにジグヘッド１０の針先１２を刺し込み、針先１２が屈曲誘導部５から突き出るようにすることもできる。
この場合、胴曲げ１４周辺が屈曲誘導部５の後側壁面に当接して、ワーム１の頭部２は僅かに屈曲して下垂した状態が維持されることとなり、この部分が水受構造２０となるものである。
このような水受構造２０は、図４（ａ）に示した形態の水受構造２０よりも、受ける水流の角度が緩やかとなるため、頭部２の振れは小さなものとなり、胴部３から尾びれ部４にかけて生じる振動は小さなものとなるが、図４（ｃ）で示した擬餌針Ｌで生じる振動よりは大きなものとなる。
【００２６】
また図５（ｂ）に示すように、図４（ｃ）に示した擬餌針Ｌの状態からワーム１を９０°または２７０°回転させた状態で、針先１２が胴部３の側周部から突き出るようにすることもできる。
この場合、尾びれ部４が水平面に直交した状態となって、図４（ｃ）に示した擬餌針Ｌとは異なるアクションを行わせることができる。
【００２７】
このように本発明のワーム１は、一つの個体を用いて少なくとも四種類の異なった形態の擬餌針Ｌを構成することができるものであり、また特に請求項５で定義すると共に図６に示したジグヘッド１０と組み合わせることにより、平坦面１９が煌くことによりアピール度が増し、更にフッキング効果が向上して良好な釣果を期待することができるものである。
【符号の説明】
【００２８】
１      ワーム
２      頭部
３      胴部
４      尾びれ部
５      屈曲誘導部
６      スリット
１０    ジグヘッド
１０Ｋ  フック
１０Ｈ  ヘッド
１１    ラインアイ
１２    針先
１３    オフセットクランク
１４    胴曲げ
１５    先曲げ
１６    シャンク
１７    ゲイブ
１８    バーブ
１９    平坦面
２０    水受構造
Ｆ      対象魚
Ｇ      重心
Ｌ      擬餌針
Ｔ      ライン
【図１】
2020078280.tif 000003
【図２】
2020078280.tif 000004
【図３】
2020078280.tif 000005
【図４】
2020078280.tif 000006
【図５】
2020078280.tif 000007
【図６】
2020078280.tif 000008
【図７】
2020078280.tif 000009